(57)【要約】【課題】  施主が組み立てた建造物模型に基づいて建造物の３Ｄデータを生成する。【解決手段】  建造物設計支援装置は、パーツが組み合わされた建造物模型を撮像した建造物模型画像を取得する画像取得部と、前記建造物模型画像から前記パーツに設けられたコードタグを検出し、前記コードタグに記録された前記パーツのＩＤを読み出すとともに、前記パーツの位置及び向きを判別する画像解析部と、前記パーツのＩＤ、位置、及び向きに基づき、前記建造物模型に対応する建造物の３Ｄデータを生成する３Ｄデータ生成部と、生成された前記建造物の３Ｄデータを出力する出力部と、を備えることを特徴とする。【選択図】図９
2020079817.tif 000002
【特許請求の範囲】
【請求項１】
パーツが組み合わされた建造物模型を撮像した建造物模型画像を取得する画像取得部と、
前記建造物模型画像から前記パーツに設けられたコードタグを検出し、前記コードタグに記録された前記パーツのＩＤを読み出すとともに、前記パーツの位置及び向きを判別する画像解析部と、
前記パーツのＩＤ、位置、及び向きに基づき、前記建造物模型に対応する建造物の３Ｄデータを生成する３Ｄデータ生成部と、
生成された前記建造物の３Ｄデータを出力する出力部と、
を備えることを特徴とする建造物設計支援装置。
【請求項２】
請求項１に記載の建造物設計支援装置であって、
前記パーツのＩＤに基づき、前記建造物模型を構成する前記パーツのパーツリストを生成するパーツリスト生成部と、
前記パーツリストに基づき、前記建造物模型に対応する建造物を建築する場合に要する建築コストを算出するコスト算出部と、備え、
前記出力部は、生成された前記パーツリスト、及び算出された前記建築コストを出力する
ことを特徴とする建造物設計支援装置。
【請求項３】
請求項１または２に記載の建造物設計支援装置であって、
前記画像取得部は、前記建造物模型の階毎の俯瞰画像を前記建造物模型画像として取得し、
前記画像解析部は、前記俯瞰画像から前記パーツの位置を判別する
ことを特徴とする建造物設計支援装置。
【請求項４】
請求項２に記載の建造物設計支援装置であって、
前記パーツのＩＤに対応付けて属性情報が記録されたパーツＤＢを、備え、
前記パーツリスト生成部は、前記パーツＤＢを参照し、前記パーツのＩＤに前記属性情報を対応付けた前記パーツリストを生成する
ことを特徴とする建造物設計支援装置。
【請求項５】
請求項４に記載の建造物設計支援装置であって、
前記パーツＤＢには、前記パーツのＩＤに対応付けて、実際の内外装建築材料のサイズ、材質、色、模様、及びコストのうちの少なくとも１つが前記属性情報として記録されている
ことを特徴とする建造物設計支援装置。
【請求項６】
請求項１〜５のいずれか一項に記載の建造物設計支援装置であって、
前記３Ｄデータ生成部は、生成した前記３Ｄデータに基づき、前記建造物模型に対応する建造物を建築した場合に各種の条件を満たしているか否かを判定する
ことを特徴とする建造物設計支援装置。
【請求項７】
請求項６に記載の建造物設計支援装置であって、
前記各種の条件が予め登録されている条件ＤＢを、備え、
前記３Ｄデータ生成部は、前記条件ＤＢを参照し、生成した前記３Ｄデータに基づき、前記建造物模型に対応する建造物を建築した場合に各種の条件を満たしているか否かを判定する
ことを特徴とする建造物設計支援装置。
【請求項８】
請求項１〜７のいずれか一項に記載の建造物設計支援装置であって、
前記３Ｄデータ生成部は、出力された前記建造物の３Ｄデータに基づく３Ｄ画像に対するユーザからの微細な構造変更を指示する操作に応じて、前記３Ｄデータを更新する
ことを特徴とする建造物設計支援装置。
【請求項９】
請求項２に記載の建造物設計支援装置であって、
前記パーツリスト生成部は、ユーザから前記パーツの仕様変更を指示する操作に応じて、前記パーツリストを更新する
ことを特徴とする建造物設計支援装置。
【請求項１０】
請求項９に記載の建造物設計支援装置であって、
前記コスト算出部は、更新された前記パーツリストに基づき、前記建築コストを再度算出する
ことを特徴とする建造物設計支援装置。
【請求項１１】
請求項１〜１０のいずれか一項に記載の建造物設計支援装置であって、
前記建造物模型は、建造物の施主が複数の前記パーツの中から任意のものを選択して組み立てたものである
ことを特徴とする建造物設計支援装置。
【請求項１２】
請求項１〜１１のいずれか一項に記載の建造物設計支援装置であって、
前記パーツは、凹部または凸部の一方が縦横に配列された床パーツと、前記凹部または前記凸部の他方が形成されており前記床パーツに対して着脱可能な内外装パーツとを少なくとも含み、
前記床パーツの特定位置には、形状が他と異なる前記一方が形成されており、
前記内外装パーツのうちの特定のものには、前記床パーツの前記特定位置に形成された前記一方の形状に適合する前記他方が形成されている
ことを特徴とする建造物設計支援装置。
【請求項１３】
建造物設計支援装置により実行される建造物設計支援方法であって、
パーツが組み合わされた建造物模型を撮像した建造物模型画像を取得する画像取得ステップと、
前記建造物模型画像から前記パーツに設けられたコードタグを検出し、前記コードタグに記録された前記パーツのＩＤを読み出すとともに、前記パーツの位置及び向きを判別する画像解析ステップと、
前記パーツのＩＤ、位置、及び向きに基づき、前記建造物模型に対応する建造物の３Ｄデータを生成する３Ｄデータ生成ステップと、
生成された前記建造物の３Ｄデータを出力する出力ステップと、
を含むことを特徴とする建造物設計支援方法。
【請求項１４】
ネットワークを介して接続された端末装置と情報処理装置とを含む建造物設計支援システムであって、
前記端末装置は、
パーツが組み合わされた建造物模型を撮像した建造物模型画像を撮像部と、
前記建造物模型画像を前記情報処理装置に送信する送信部と、を備え、
前記情報処理装置は、
前記建造物模型画像から前記パーツに設けられたコードタグを検出し、前記コードタグに記録された前記パーツのＩＤを読み出すとともに、前記パーツの位置及び向きを判別する画像解析部と、
前記パーツのＩＤ、位置、及び向きに基づき、前記建造物模型に対応する建造物の３Ｄデータを生成する３Ｄデータ生成部と、
生成された前記建造物の３Ｄデータを出力する出力部と、を備える
ことを特徴とする建造物設計支援システム。
【発明の詳細な説明】
【技術分野】
【０００１】
本発明は、例えば、建造物の間取りをコンシューマレベルで設計する場合に用いて好適な建造物設計支援装置、建造物設計支援方法、及び建造物設計支援システムに関する。
【背景技術】
【０００２】
従来、住宅（戸建住宅、マンション等の集合住宅を含む）を建築したり、リフォームやリノベーションを行ったりする場合、その施主はハウスメーカー等と打ち合わせを行って、間取りを決定し、さらに、外装や内装の色、材質、模様の仕様を決定することになる。
【０００３】
この打ち合わせに際しては、例えばパーソナルコンピュータ等を利用して、その画面上に住宅の間取り等を３Ｄモデルとして表示したり、ＶＲ(Virtual Reality)技術を利用して住宅内を移動する様子を擬似的に表示したり、外装や内装の仕様を変更したりすることが行われている。
【０００４】
なお、施主が希望する間取りを把握する方法として、例えば特許文献１には、顧客（施主）が模型部品を選択して住宅模型を組み立てること、模型部品には属性データが記録されているＩＣチップが埋め込まれていること、ＩＣチップは非接触通信可能であること、属性データには部品名、部品番号、部品規格、材質、サイズ、色、部品特性、部品の単価、部品の設計費用、部品の施工費用、部品の管理費用、その他費用等が含まれていること、各模型部品の属性データに基づいて住宅建築費用を算出すること、各部品の属性データに基づいて図面データを作成すること、画面に平面図を表示すること等が記載されている。
【先行技術文献】
【特許文献】
【０００５】
【特許文献１】特開２０１０−２１７３５０号公報
【発明の概要】
【発明が解決しようとする課題】
【０００６】
上述したように、特許文献１には、顧客（施主）が組み立てた住宅模型を構成する各模型部品の属性データに基づいて図面データを作成する旨が記載されているが、その具体的な方法が記載されておらず不明確であった。また、画面上には平面図が表示されるに過ぎず、建築する住宅を顧客がイメージするには不十分であった。
【０００７】
本発明は、このような状況に鑑みてなされたものであり、施主が組み立てた建造物模型に基づいて建造物の３Ｄデータを生成できるようにすることを目的とする。
【課題を解決するための手段】
【０００８】
本発明は、上記課題の少なくとも一部を解決する手段を複数含んでいるが、その例を挙げるならば、以下のとおりである。上記課題を解決すべく、本発明の一態様に係る建造物設計支援装置は、パーツが組み合わされた建造物模型を撮像した建造物模型画像を取得する画像取得部と、前記建造物模型画像から前記パーツに設けられたコードタグを検出し、前記コードタグに記録された前記パーツのＩＤを読み出すとともに、前記パーツの位置及び向きを判別する画像解析部と、前記パーツのＩＤ、位置、及び向きに基づき、前記建造物模型に対応する建造物の３Ｄデータを生成する３Ｄデータ生成部と、生成された前記建造物の３Ｄデータを出力する出力部と、を備えることを特徴とする。
【０００９】
本発明の一態様に係る建造物設計支援装置は、前記パーツのＩＤに基づき、前記建造物模型を構成する前記パーツのパーツリストを生成するパーツリスト生成部と、前記パーツリストに基づき、前記建造物模型に対応する建造物を建築する場合に要する建築コストを算出するコスト算出部と、備えることができ、前記出力部は、生成された前記パーツリスト、及び算出された前記建築コストを出力することができる。
【００１０】
前記画像取得部は、前記建造物模型の階毎の俯瞰画像を前記建造物模型画像として取得することができ、前記画像解析部は、前記俯瞰画像から前記パーツの位置を判別することができる。
【００１１】
本発明の一態様に係る建造物設計支援装置は、前記パーツのＩＤに対応付けて属性情報が記録されたパーツＤＢを、備えることができ、前記パーツリスト生成部は、前記パーツＤＢを参照し、前記パーツのＩＤに前記属性情報を対応付けた前記パーツリストを生成することができる。
【００１２】
前記パーツＤＢには、前記パーツのＩＤに対応付けて、実際の内外装建築材料のサイズ、材質、色、模様、及びコストのうちの少なくとも１つが前記属性情報として記録されているようにすることができる。
【００１３】
前記３Ｄデータ生成部は、生成した前記３Ｄデータに基づき、前記建造物模型に対応する建造物を建築した場合に各種の条件を満たしているか否かを判定することができる。
【００１４】
本発明の一態様に係る建造物設計支援装置は、前記各種の条件が予め登録されている条件ＤＢを、備えることができ、前記３Ｄデータ生成部は、前記条件ＤＢを参照し、生成した前記３Ｄデータに基づき、前記建造物模型に対応する建造物を建築した場合に各種の条件を満たしているか否かを判定することができる。
【００１５】
前記３Ｄデータ生成部は、出力された前記建造物の３Ｄデータに基づく３Ｄ画像に対するユーザからの微細な構造変更を指示する操作に応じて、前記３Ｄデータを更新することができる。
【００１６】
前記パーツリスト生成部は、ユーザから前記パーツの仕様変更を指示する操作に応じて、前記パーツリストを更新することができる。
【００１７】
前記コスト算出部は、更新された前記パーツリストに基づき、前記建築コストを再度算出するができる。
【００１８】
前記建造物模型は、建造物の施主が複数の前記パーツの中から任意のものを選択して組み立てたものとすることができる。
【００１９】
前記パーツは、凹部または凸部の一方が縦横に配列された床パーツと、前記凹部または前記凸部の他方が形成されており前記床パーツに対して着脱可能な内外装パーツとを少なくとも含むことができ、前記床パーツの特定位置には、形状が他と異なる前記一方を形成することができ、前記内外装パーツのうちの特定のものには、前記床パーツの前記特定位置に形成された前記一方の形状に適合する前記他方を形成することができる。
【００２０】
本発明の他の態様に係る建造物設計支援方法は、パーツが組み合わされた建造物模型を撮像した建造物模型画像を取得する画像取得ステップと、前記建造物模型画像から前記パーツに設けられたコードタグを検出し、前記コードタグに記録された前記パーツのＩＤを読み出すとともに、前記パーツの位置及び向きを判別する画像解析ステップと、前記パーツのＩＤ、位置、及び向きに基づき、前記建造物模型に対応する建造物の３Ｄデータを生成する３Ｄデータ生成ステップと、生成された前記建造物の３Ｄデータを出力する出力ステップと、を含むことを特徴とする。
【００２１】
本発明のさらに他の態様に係る建造物設計支援システムは、ネットワークを介して接続された端末装置と情報処理装置とを含む建造物設計支援システムであって、前記端末装置は、パーツが組み合わされた建造物模型を撮像した建造物模型画像を撮像部と、前記建造物模型画像を前記情報処理装置に送信する送信部と、を備え、前記情報処理装置は、前記建造物模型画像から前記パーツに設けられたコードタグを検出し、前記コードタグに記録された前記パーツのＩＤを読み出すとともに、前記パーツの位置及び向きを判別する画像解析部と、前記パーツのＩＤ、位置、及び向きに基づき、前記建造物模型に対応する建造物の３Ｄデータを生成する３Ｄデータ生成部と、生成された前記建造物の３Ｄデータを出力する出力部と、を備えることを特徴とする。
【発明の効果】
【００２２】
本発明によれば、施主が組み立てた建造物模型に基づいて建造物の３Ｄデータを生成することができる。
【００２３】
上記した以外の課題、構成及び効果は、以下の実施形態の説明により明らかにされる。
【図面の簡単な説明】
【００２４】
【図１】本実施形態の概要を説明するための図である。
【図２】建造物模型を構成する各パーツの例を示す図である。
【図３】外壁パーツの詳細な構成例を示す図である。
【図４】床パーツの構成例を示す図である。
【図５】床パーツに形成された凹部の形状の変形例を示す図である。
【図６】床パーツの他の構成例を示す図である。
【図７】床パーツに形成された凹部の形状の変形例を示す図である。
【図８】床パーツに形成された凹部の形状の変形例を示す図である。
【図９】本発明に係る第１の実施の形態である建造物設計支援システムの構成例を示すブロック図である。
【図１０】建造物データ生成処理の一例を説明するフローチャートである。
【図１１】出力画面の表示例を示す図である。
【図１２】出力画面の表示例を示す図である。
【図１３】本発明に係る第２の実施の形態である建造物設計支援装置の構成例を示すブロック図である。
【発明を実施するための形態】
【００２５】
以下、本発明に係る複数の実施の形態を図面に基づいて説明する。なお、各実施の形態を説明するための全図において、同一の部材には原則として同一の符号を付し、その繰り返しの説明は省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００２６】
＜本実施形態の概要＞
図１は、本実施形態の概要について説明するための図である。
【００２７】
本発明に係る実施形態である建造物設計支援システムは、例えば、スマートフォン１によって建造物模型２を上方や側方から撮像し、その結果得られる建造物模型画像に基づいて、建造物模型２に対応する実際（原寸大）の建造物の３Ｄデータを生成するものである。
【００２８】
ここで、建造物とは、居住を目的とする住宅（戸建住宅、集合住宅を含む）に限らず、居住を目的としない会社等のオフィスや工場等を含む。建造物模型２は、建造物の建築（新築、リフォーム、リノベーションを含む）を計画している施主が、ハウスメーカー等から貸与されるパーツを組み合わせて作成するものとする。
【００２９】
建造物模型２を組み立てるための各パーツには、パーツのＩＤ（識別子）を表すコードタグが付与されており、該建造物設計支援システムは、コードタグに基づいて各パーツのＩＤ、位置、及び向きを判別することができる。
【００３０】
また、該建造物設計支援システムは、判別したパーツのＩＤに基づき、パーツリストを生成するとともに、建造物模型２に対応する建造物を建設するために要する建築コストを算出することができ、パーツリストや建築コストを施主に提示することができる。さらに、該建造物設計支援システムは、施主がパーツリストを参照してパーツの仕様（サイズ、色、模様等）を変更することができ、仕様の変更に応じて建造物の３Ｄデータや建築コストを更新することができる。
【００３１】
図２は、建造物模型２を組み立てるためのパーツの例を示している。これらのパーツは、例えば、ハウスメーカー等から施主に対して貸与される。
【００３２】
パーツの種類としては、床パーツ１０１、外壁パーツ１０２、間仕切りパーツ１０３、柱パーツ１０４、ドアパーツ１０５、家電パーツ１０６、人物パーツ１０７等が存在する。さらに、外壁パーツ１０２の外側に取り付ける窓パーツや、システムキッチン、風呂、トイレ等がそれぞれユニット化されているユニットパーツや、箪笥、ソファー、ベッド、机等の家具パーツ（いずれも不図示）が存在してもよい。以下、床パーツ１０１以外のパーツを、内外装パーツと称する。
【００３３】
各パーツには、サイズ、色、模様等の仕様が異なる様々なバリエーションが存在しており、施主は多数のパーツの中から任意のパーツを選択して、希望する間取りに家具や家電を配置した建造物模型２を組み立てることができる。
【００３４】
各パーツは、例えば、実際の寸法の１／１００〜１／２５程度の大きさとし、例えば、プラスチックによって形成されている。ただし、各パーツの材質は、プラスチックに限らず、木材や金属等であってもよい。
【００３５】
さらに、ハウスメーカー等からある程度まで組み立てられた建造物模型２を施主に貸与するようにし、施主が好みに応じてパーツを追加したり、パーツの仕様を変更したり、パーツの配置を変更したりするようにしてもよい。
【００３６】
次に、各パーツの詳細な構成例について説明する。図３は、外壁パーツ１０２の詳細な構成例を示している。
【００３７】
外壁パーツ１０２の上面には、コードタグ１２１が設けられている。コードタグ１２１は、シール状のものを外壁パーツ１０２の上面に貼付してもよいし、外壁パーツ１０２の上面に印刷してもよい。なお、コードタグ１２１は、外壁パーツ１０２の上面だけでなく、側面にも設けるようにしてもよい。
【００３８】
コードタグ１２１は、文字や数字からなる情報が２次元画像に格納されたものである。コードタグ１２１には、例えば、カメレオンコード（商標）を採用することができる。カメレオンコードは、異なる複数の色のいずれかに着色可能な複数の領域を２次元状（１次元状でもよい）に配置して生成する。例えば、領域に着色可能な色をＢ（黒）、Ｙ（イエロー）、Ｃ（シアン）、Ｍ（マゼンタ）の４色とし、領域数を３６（＝３×１２）とした場合、４の３６乗通りのコードタグ１２１を作成できる。
【００３９】
このようなカメレオンコードに代表されるカラーコードは、カラーコードを含む撮像画像に対する画像処理によって認識することができる。カラーコードは、従来のバーコードやＱＲコードに比べて情報量、認識率が向上されている。
【００４０】
コードタグ１２１には、少なくとも外壁パーツ１０２に対して固有に付与されたＩＤが記録されている。なお、同じ形状であって仕様が異なるパーツ（例えば、色違いのパーツ）に対しては、異なるＩＤが付与されているものとする。
【００４１】
また、コードタグ１２１には、コードタグ１２１自体の向きを判別できる情報が記録されている。具体的には、例えば、コードタグ１２１の４隅のうちの１つに所定の色に着色した１以上の領域を設けることにより、コードタグ１２１自体の向きを判別できる。したがって、外壁パーツ１０２に対してコードタグ１２１を設ける向きを決めておけば、コードタグ１２１の向きを読み取ることによって、外壁パーツ１０２の向きを判別することができる。
【００４２】
さらに、コードタグ１２１には、ＩＤの他に、パーツの仕様を表す属性情報（対応する実際の建築材料のサイズ、色、模様、材質、価格等）を記録するようにしてもよい。
【００４３】
なお、コードタグ１２１として、バーコードやＱＲバーコード（商標）、文字列を採用してもよい。さらに、コードタグ１２１の代わりに、またはコードタグ１２１に追加して、外壁パーツ１０２のＩＤ等を記録したＩＣチップを外壁パーツ１０２の内部に埋め込むようにしてもよい。この場合、ＩＣチップからＩＤ等を読み出すリーダーが必要となる。
【００４４】
外壁パーツ１０２の下面には、凸部１２２が形成されている。凸部１２２の形状は、床パーツ１０１の凹部１１１（図４）に嵌め込むことができるように形成されている。
【００４５】
図３の場合、凸部１２２は外壁パーツ１０２の下面に1箇所のみ形成されているが、外壁パーツ１０２の下面の複数の箇所に凸部１２２を形成するようにしてもよい。さらに、外壁パーツ１０２の上面に凸部１２２を形成してもよい。外壁パーツ１０２の上面に凸部１２２を形成した場合、上階（１階に対する２階）の床パーツの裏面側に凸部１２２を嵌め込むための凹部を形成すればよい。
【００４６】
以上、外壁パーツ１０２の詳細を説明したが、外壁パーツ１０２以外の内外装パーツ及び床パーツそれぞれの少なくとも上面にはコードタグ１２１が設けられている。また、外壁パーツ１０２以外の内外装パーツの少なくとも下面に凸部１２２が形成されている。
【００４７】
次に、図４は、床パーツ１０１の構成例を示している。床パーツ１０１には、床パーツ１０１の上に内外装パーツの凸部１２２を嵌め込んで配置するための複数の凹部１１１が形成されている。
【００４８】
図４の場合、床パーツ１０１には円形の凹部１１１が形成されている。円形の凹部１１１に対し、内外装パーツの凸部１２２も円形であれば、施主は、床パーツ１０１の凹部１１１に、内外装パーツの下面に形成された凸部１２２（図３）を嵌め込むことにより、床パーツ１０１の上の任意の位置に、任意の向き（ＸＹ平面の任意の方向）で内外装パーツを配置して、希望する間取りを有する建造物模型２を組み立てることができる。
【００４９】
ただし、例えば、外壁パーツ１０２は床パーツ１０１の外周上にしか配置できない、床パーツ１０１の四隅には柱パーツ１０４が必要等のように、特定の内外装パーツには、配置や向きに制限を設ける必要があるものがある。このため、床パーツ１０１の凹部１１１と内外装パーツの凸部１２２（図３）の形状に変形例を設けてもよい。
【００５０】
図５は、凹部１１１の４種類の変形例の上面図（同図上段）及びＸＺ断面図（同図下段）を示している。例えば、同図上段左端に示す凹部１１１１は、円形の凹部の内側下層に正方形の凹部を追加して形成したものである。凹部１１１１に対し、凹部１１１１と同じ形状の凸部１２２を有する内外装パーツを配置する場合、その向きを４方向（±Ｘ方向、±Ｙ方向）に制限することができる。
【００５１】
また、例えば、同図上段左端から２番目に示す凹部１１１２は、円形の凹部の内側下層に、正方形の＋Ｙ方向の１辺により小さな長方形を付けた形状の凹部を追加して形成したものである。凹部１１１２に対し、凹部１１１２と同じ形状の凸部１２２を有する内外装パーツを配置する場合、その向きを１方向（＋Ｙ方向）に制限することができる。
【００５２】
さらに、例えば、同図上段左端から３番目に示す凹部１１１３は、円形の凹部の内側下層に、正方形の対向する＋Ｙ方向及び−Ｙ方向の２辺により小さな長方形を付けた形状の凹部を追加して形成したものである。凹部１１１３に対し、例えば、凹部１１１２と同じ形状の凸部１２２を有する内外装パーツを配置する場合、その向きを２方向（±Ｙ方向）のどちらかに制限することができる。
【００５３】
またさらに、例えば、同図上段左端から４番目に示す凹部１１１４は、円形の凹部の内側下層に、正方形の隣り合う＋Ｙ方向及び＋Ｘ方向の２辺により小さな長方形を付けた形状の凹部を追加して形成したものである。凹部１１１４に対し、凹部１１１２と同じ形状の凸部１２２を有する内外装パーツを配置する場合、その向きを２方向（＋Ｙ方向、＋Ｘ方向）のどちらかに制限することができる。
【００５４】
なお、同図下段に示すように、各凹部は凹みが２層に形成されているが、各下側の凹み１層だけで形成してもよい。
【００５５】
次に、図６は、床パーツ１０１の他の構成例を示している。図６の例では、市松模様の着色されていない矩形領域が平面であり、着色されている矩形領域が、内外装パーツを嵌め込むための凹部１１１５である。
【００５６】
図６に示された凹部１１１５に対し、内外装パーツの凸部１２２が図３に示されたように円形に形成されていれば、内外装パーツの向きを制限することなく、すなわち、内外装パーツを任意の向きで床パーツ１０１に配置することができる。
【００５７】
また、図６に示された凹部１１１５に対し、内外装パーツの凸部１２２も凹部１１１５に合わせて矩形に形成されていれば、床パーツ１０１に対して内外装パーツを配置する場合、その向きを４方向（±Ｘ方向、±Ｙ方向）に制限することができる。
【００５８】
なお、図４や図６に示されたように、床パーツ１０１の全ての凹部１１１を同じ形状にするのではなく、一部の凹部１１１の形状を変更してもよい。
【００５９】
床パーツ１０１の特定の位置に、例えば図７に示されるように八角形の凹部１１１６を形成し、特定の内外装パーツの凸部１２２も同じ八角形に形成すれば、床パーツ１０１の特定の位置に、特定の内外装パーツを、その向きを８方向に制限して配置できるようにすることができる。
【００６０】
また、床パーツ１０１の特定の位置に、例えば図８に示されるような対称性がない形状の凹部１１１７を形成し、特定の内外装パーツの凸部１２２も、凹部１１１７に適合するように同じ形状に形成すれば、床パーツ１０１の特定の位置に、特定の内外装パーツを、その向きを１方向に制限して配置できるようにすることができる。
【００６１】
なお、床パーツ１０１の凹部１１１と、内外装パーツの凸部１２２の形状については、上述した例に限らず、任意の形状を採用することができる。
【００６２】
また、床パーツ１０１に凸部を形成し、内外装パーツに凹部を形成するようにしてもよい。
【００６３】
＜本発明に係る第１の実施形態である建造物設計支援システムの構成例＞
次に、図９は、本発明に係る第１の実施形態である建造物設計支援システム１０の構成例を示している。
【００６４】
建造物設計支援システム１０は、端末装置２０、及び情報処理装置３０を備える。端末装置２０は、ネットワーク１１を介して情報処理装置３０に接続する。ネットワーク１１は、例えば、携帯電話通信網、インターネット、ＷＡＮ(wide Area Network)，ＬＡＮ(Local Area Network)等からなる。
【００６５】
端末装置２０は、ＣＰＵ(Central Processing Unit)、メモリ、カメラモジュール、通信モジュール、タッチパネル、ディスプレイ等を備えるスマートフォン１（図１）や、タブレット型コンピュータ等からなる。端末装置２０は、内蔵されたＣＰＵが所定のアプリケーションプログラムを実行することにより、撮像部２１、操作部２２、表示部２３、及び制御部２４の各機能ブロックを実現する。
【００６６】
撮像部２１は、端末装置２０のカメラモジュールを利用し、施主が組立てた建造物模型２を撮像し、その結果得られる建造物模型画像を制御部２４に出力する。なお、端末装置２０のカメラモジュールを利用せず、外部のデジタルカメラ等によって撮像した建造物模型画像を取得するようにしてもよい。
【００６７】
操作部２２は、端末装置２０のタッチパネルを利用し、ユーザ（施主等）からの各種の操作（例えば、パーツの仕様変更を指示する操作や、建造物の微細な構造変更を指示する操作）を受け付けて、その操作情報を制御部２４に出力する。ここで、建造物の微細な構造変更とは、例えば、配置済みのパーツを若干ずらす程度を意味する。
【００６８】
表示部２３は、端末装置２０のディスプレイを利用し、情報処理装置３０から供給される、３Ｄデータに基づく建造物の３Ｄ画像、パーツリスト等を表示する。制御部２４は、撮像部２１、操作部２２、及び表示部２３を制御する。また、制御部２４は、端末装置２０の通信モジュールを利用し、ネットワーク１１を介して情報処理装置３０に接続して通信を行う。制御部２４は、本発明の送信部に相当する。
【００６９】
情報処理装置３０は、ＣＰＵ、メモリ、ストレージ、通信モジュール等を備えるサーバ装置やパーソナルコンピュータ等からなる。情報処理装置３０は、内蔵されたＣＰＵが所定のアプリケーションプログラムを実行することにより、制御部３１、画像解析部３２、３Ｄデータ生成部３３、パーツリスト生成部３４、パーツＤＢ（データベース）３５、コスト算出部３６、及び条件ＤＢ３７の各機能ブロックを実現する。
【００７０】
制御部３１は、情報処理装置３０を構成する各機能ブロックを制御する。また、制御部３１は、情報処理装置３０の通信モジュールを利用し、ネットワーク１１を介して端末装置２０と接続して通信を行う。具体的には、制御部３１は、端末装置２０から送信された建造物模型画像を画像解析部３２に出力する。また、制御部３１は、３Ｄデータ生成部３３によって生成された３Ｄデータ、及びパーツリスト生成部３４によって生成され、コスト算出部３６によって建築コストが追記されたパーツリストを端末装置２０に送信する。制御部３１は、本発明の画像取得部、出力部に相当する。
【００７１】
なお、３Ｄデータ、及びパーツリストを、ネットワーク１１を介してＰＣ（パーソナルコンピュータ）１２に送信するようにしてもよい。この場合、施主等はＰＣ１２を用いて、建造物の３Ｄ画像やパーツリストを確認することができる。
【００７２】
画像解析部３２は、端末装置２０から送信される建造物模型画像から各パーツのコードタグ１２１を検出してＩＤを読み取り、各パーツの配置と向きを判別して、各パーツの配置、向き、及びＩＤを３Ｄデータ生成部３３に出力する。また、画像解析部３２は、各パーツのＩＤをパーツリスト生成部３４に出力する。
【００７３】
３Ｄデータ生成部３３は、画像解析部３２から入力された各パーツのＩＤに基づき、パーツＤＢ３５を参照して各パーツに対応する実際の内外装建築材料のサイズを取得する。そして、３Ｄデータ生成部３３は、該サイズと、画像解析部３２から通知された各パーツの配置と向きに基づき、建造物模型２に対応する建造物の３Ｄデータを生成して制御部３１に出力する。
【００７４】
また、３Ｄデータ生成部３３は、生成した３Ｄデータに基づき、条件ＤＢ３７を参照して、建造物模型２に対応する建造物を実際に建築した場合において各種の条件を満たしているか否かを判定し、その判定結果を制御部３１に出力する。ここで、各種の条件とは、法規制（耐震基準を含む）の他、各建造物に対して個々に設定する条件（例えば、玄関の位置、トイレの位置、窓の位置やサイズ等）を指す。
【００７５】
さらに、３Ｄデータ生成部３３は、端末装置２０からの建造物の微細な構造変更（例えば、配置済みのパーツをずらす程度）を指示する操作情報に基づき、建造物の３Ｄデータを変更する。
【００７６】
パーツリスト生成部３４は、画像解析部３２から入力された各パーツのＩＤに基づき、パーツＤＢ３５を参照して各内外装パーツに対応する属性情報（実際の内外装材料の材質、色、模様、価格（材料費、施工費等を含む）等）を取得してリスト化し、その結果得られるパーツリストをコスト算出部３６に出力する。
【００７７】
また、パーツリスト生成部３４は、端末装置２０からのパーツの仕様変更を指示する操作情報に基づき、パーツリストを変更する。
【００７８】
パーツＤＢ３５は、情報処理装置３０のストレージに保存されており、定期的に更新される。パーツＤＢ３５には、各パーツのＩＤに対応付けて、実際の内外装建築材料の属性情報としてサイズ、材質、色、模様、コスト（材料費、工賃等を含む）等が記録されている。なお、パーツＤＢ３５は、情報処理装置３０に保存せず、例えば、インターネット上のサーバ等に保存するようにしてもよい。
【００７９】
コスト算出部３６は、パーツリスト生成部３４から入力されるパーツリストに基づき、建造物模型２に対応する原寸大の建造物を実際に建築する場合に要する建築コストを算出して、パーツリストに追記して制御部３１に出力する。
【００８０】
条件ＤＢ３７は、情報処理装置３０のストレージに保存されており、定期的に更新される。条件ＤＢ３７には、３Ｄデータ生成部３３から参照される各種の条件が予め登録されている。なお、条件ＤＢ３７は、情報処理装置３０に保存せず、例えば、インターネット上のサーバ等に保存するようにしてもよい。
【００８１】
＜建造物設計支援システム１０による建造物データ生成処理＞
次に、図１０は、建造物設計支援システム１０による建造物データ生成処理の一例を説明するフローチャートである。
【００８２】
この建造物データ生成処理は、例えば、端末装置２０に対して、ユーザ（施主）から所定の開始操作が行われたときに開始される。ただし、施主は、建造物データ生成処理の開始操作を行う前に、ハウスメーカー等から貸与された建造物模型用のパーツを用いて自己が希望する建造物と同様の間取りを有する建造物模型２の組み立てを完了しているものとする。
【００８３】
はじめに、端末装置２０の撮像部２１が、ユーザからのシャッター操作に応じて建造物模型２を撮像し、その結果得られる建造物模型画像を制御部２４に出力する（ステップＳ１）。なお、建造物模型撮像は、階毎に上方から床面全体を見下ろした俯瞰画像を少なくとも１枚撮像する。さらに、望ましくは側方から見た側面画像も撮像する。したがって、例えば、２階建ての建造物模型２であれば、少なくとも２枚の建造物模型画像（俯瞰画像）を撮像することになり、各階の間取りを判断することができる。側面画像を撮像した場合、建造物模型２が何階建であるのかを判断することができる。また、パーツの側面に設けられているコードタグ１２１を検出することができる。
【００８４】
次に、制御部２４が、撮像部２１から入力された建造物模型画像を、ネットワーク１１を介して、情報処理装置３０に送信する（ステップＳ２）。この建造物模型画像は、情報処理装置３０の制御部３１が受信して、画像解析部３２に出力する。
【００８５】
次に、画像解析部３２が、各階の建造物模型画像に写っている各パーツのコードタグ１２１を検出してＩＤを読み取る（ステップＳ３）。次に、画像解析部３２が、各階の建造物模型画像（俯瞰画像）から各パーツの位置を判別し、また、コードタグ１２１に基づいて各パーツの向きを判別して、各パーツの配置、向き、及びＩＤを３Ｄデータ生成部３３に出力し、各パーツのＩＤをパーツリスト生成部３４に出力する（ステップＳ４）。
【００８６】
次に、３Ｄデータ生成部３３が、画像解析部３２から入力された各パーツのＩＤに基づき、パーツＤＢ３５を参照して各パーツに対応する実際の内外装材料のサイズを取得し、該サイズ並びに各パーツの配置及び向きに基づき、建造物模型２に対応する実際の建造物の各階の間取りを表す３Ｄデータを生成する（ステップＳ５）。
【００８７】
次に、パーツリスト生成部３４が、画像解析部３２から入力された各パーツのＩＤに基づき、パーツＤＢ３５を参照して各内外装パーツに対応する属性情報を取得してリスト化し、その結果得られるパーツリストをコスト算出部３６に出力する（ステップＳ６）。
【００８８】
次に、コスト算出部３６が、パーツリスト生成部３４から入力されるパーツリストに基づき、建造物模型２に対応する建造物を建築するために要する建築コストを算出し、パーツリストに追記する（ステップＳ９）。
【００８９】
次に、３Ｄデータ生成部３３が、生成した３Ｄデータが基づき、条件ＤＢ３３１を参照して、建造物模型２に対応する建造物を実際に建築した場合において各種の条件を満たしているか否かを判定する（ステップＳ８）。ここで、各種の条件のいずれかを満たしていないと判定した場合（ステップＳ８でＮＯ）、３Ｄデータ生成部３３が、各種の条件のいずれかを満たしていない旨を表す情報と建造物の３Ｄデータとを制御部３１に出力する。制御部３１は、これらの情報を、ネットワーク１１を介して端末装置２０に送信する（ステップＳ９）。
【００９０】
これらの情報は、端末装置２０の制御部２４が受信し、表示部２３が出力画面２００（図１１）に表示する。そして、建造物データ生成処理が終了される。
【００９１】
図１１は、出力画面２００の表示例を示している。出力画面２００には、建造物の３Ｄデータに基づく各階の間取りを表す３Ｄ画像２０１と、各種の条件のいずれかを満たしていない旨を表すエラー情報２０２とが表示される。なお、エラー情報２０２には、条件を満たしてない具体的な内容や、どのように修正すれば条件を満たすことができるか等の施主に対するアドバイスを含めるようにしてもよい。
【００９２】
図１０に戻る。一方、各種の条件を満たしていると判定した場合（ステップＳ８でＹＥＳ）、３Ｄデータ生成部３３が、建造物の３Ｄデータと、パーツリストと、各種の条件を満たしている旨を表す情報とを制御部３１に出力する。制御部３１は、これらの情報を、ネットワーク１１を介して端末装置２０に送信する（ステップＳ１０）。これらの情報は、端末装置２０の制御部２４が受信し、表示部２３が、出力画面２１０（図１２）に表示する。
【００９３】
図１２は、出力画面２１０の表示例を示している。出力画面２１０には、建造物の３Ｄデータに基づく各階の間取りを表す３Ｄ画像２１１と、各種の条件を満たしている旨を表す条件クリア情報２２１と、パーツリスト情報２１３と、建築コスト情報２１４とが表示される。出力画面２１０を見たユーザ（施主）は、操作部２２を用いて、パーツリスト情報２１３に記載されている各パーツの仕様を変更することができる。ユーザがパーツの仕様を変更する操作を行った場合、その操作情報は操作部２２から制御部２４を介して情報処理装置３０に送信される。また、ユーザは、操作部２２を用い、３Ｄ画像２１１に対して操作することにより、建造物の微細な構造を変更することができる。ユーザが建造物の微細な構造を変更する操作を行った場合、その操作情報は操作部２２から制御部２４を介して情報処理装置３０に送信される。
【００９４】
図１０に戻る。次に、情報処理装置３０のパーツリスト生成部３４が、端末装置２０からの操作情報に基づき、パーツの仕様（色、模様、材質等）を変更するか否かを判定する（ステップＳ１１）。ここで、パーツの仕様を変更すると判定した場合（ステップＳ１１でＹＥＳ）、処理はステップＳ５に戻り、ステップＳ５〜Ｓ１１が繰り返される。具体的には、３Ｄデータ生成部３３が、パーツの仕様変更を反映して建造物の３Ｄデータを更新し、各種の条件を満たしているか否かを判定し、パーツリスト生成部３４が、パーツの仕様変更に対応してパーツリストを更新し、コスト算出部３６が、更新されたパーツリストに基づいて建築コストを算出し、パーツリスト生成部３４が、パーツの仕様を変更するか否かを判定する。
【００９５】
そして、パーツリスト生成部３４が、端末装置２０からの操作情報に基づき、パーツの仕様を変更しないと判定した場合（ステップＳ１１でＮＯ）、処理はステップＳ１２に進められる。
【００９６】
次に、３Ｄデータ生成部３３が、端末装置２０からの操作情報に基づき、建造物の構造を微細に変更するか否かを判定する（ステップＳ１２）。ここで、建造物模型２の構造を微細に変更すると判定した場合（ステップＳ１２でＹＥＳ）、処理はステップＳ５に戻り、ステップＳ５〜Ｓ１２が繰り返される。具体的には、３Ｄデータ生成部３３が、微小な構造変更を反映して住宅の３Ｄデータを更新し、各種の条件を満たしているか否かを判定し、パーツリスト生成部３４が、パーツの仕様変更に対応してパーツリストを更新し（更新しない場合もある）、コスト算出部３６が、変更されたパーツリストに基づいて建築コストを算出し（算出しない場合もある）、パーツリスト生成部３４が、パーツの仕様を変更するか否かを判定し、３Ｄデータ生成部３３が、建造物模型２の構造を微細に変更するか否かを判定する。
【００９７】
そして、３Ｄデータ生成部３３が、端末装置２０からの操作情報に基づいて、建造物模型２の構造を微細に変更しないと判定した場合（ステップＳ１２でＮＯ）、建造物データ生成処理が終了される。なお、上述した各ステップを行う順序は、上述した例に限られず、適宜変更することができる。
【００９８】
以上説明した建造物データ生成処理によれば、施主が組立てた建造物模型２に基づき、端末装置２０の表示部２３に、建造物模型２に対応する実際の建造物の３Ｄ画像２１１とパーツリスト情報２１３を表示することができる。施主は、表示された３Ｄ画像２１１に対して微細な構造変更を指示することができるとともに、パーツリスト情報２１３を参照して、パーツの仕様変更を指示することができる。そして、これらの変更指示に従って３Ｄデータやパーツリストが直ちに変更されるので、施主は、変更後の３Ｄ画像２１１、パーツリスト情報２１３、建築コスト情報２１４を速やかに確認することができる。これにより、従来であれば、構造や仕様を変更する毎に開催する必要があった施主とハウスメーカー等との打ち合わせの回数を削減することが可能となる。
【００９９】
なお、仮に、端末装置２０のユーザ（施主）が建造物の微細ではない大幅な構造変更を希望する場合には、実行中の建造物データ生成処理を中断し、希望する構造の建造物模型２を組み立てた後、改めて建造物データ生成処理を実行すればよい。
【０１００】
＜本発明に係る第２の実施形態である建造物設計支援装置の構成例＞
次に、図１３は、本発明に係る第２の実施形態である建造物設計支援装置５０が有する機能ブロックの構成例を示している。
【０１０１】
建造物設計支援装置５０は、建造物設計支援システム１０（図９）において端末装置２０と情報処理装置３０とに分割して実現していた機能ブロックを単体の装置で実現するものである。建造物設計支援装置５０と建造物設計支援システム１０とで共通する構成要素については同一の符号を付してその説明を省略する。
【０１０２】
建造物設計支援装置５０は、ＣＰＵ、メモリ、カメラモジュール、通信モジュール、タッチパネル、ディスプレイ等を備えるスマートフォン１（図１）や、タブレット型コンピュータ、パーソナルコンピュータ等からなる。建造物設計支援装置５０は、内蔵されたＣＰＵが所定のアプリケーションプログラムを実行することにより、各機能ブロックを実現する。
【０１０３】
制御部５１は、建造物設計支援装置５０が有する各機能ブロックを制御する。
【０１０４】
建造物設計支援装置５０は、上述した建造物データ生成処理（図１０）を実行することができ、上述した効果を得ることができる。
【０１０５】
なお、上記した各実施の形態では本発明を分かりやすく説明するために構成を詳細に説明したものであり、必ずしも説明した全ての構成を備えるものに限定されるものではない。
【符号の説明】
【０１０６】
１・・・スマートフォン、２・・・建造物模型、１０・・・建造物設計支援システム、１１・・・ネットワーク、２０・・・端末装置、２１・・・撮像部、２２・・・操作部、２３・・・表示部、２４・・・制御部、３０・・・情報処理装置、３１・・・制御部、３２・・・画像解析部、３３・・・データ生成部、３４・・・パーツリスト生成部、３５・・・パーツＤＢ、３６・・・コスト算出部、３７・・・条件ＤＢ、５０・・・建造物設計支援装置、５１・・・制御部、１０１・・・床パーツ、１０２・・・外壁パーツ、１０３・・・パーツ、１０４・・・柱パーツ、１０５・・・ドアパーツ、１０６・・・家電パーツ、１１１〜１１５・・・凹部、１２１・・・コードタグ、１２２・・・凸部、２００・・・出力画面、２０１・・・３Ｄ画像、２０２・・・エラー情報、２１０・・・出力画面、２１１・・・３Ｄ画像、２１２・・・条件クリア情報、２１３・・・パーツリスト情報、２１４・・・建築コスト情報
【図１】
2020079817.tif 000003
【図２】
2020079817.tif 000004
【図３】
2020079817.tif 000005
【図４】
2020079817.tif 000006
【図５】
2020079817.tif 000007
【図６】
2020079817.tif 000008
【図７】
2020079817.tif 000009
【図８】
2020079817.tif 000010
【図９】
2020079817.tif 000011
【図１０】
2020079817.tif 000012
【図１１】
2020079817.tif 000013
【図１２】
2020079817.tif 000014
【図１３】
2020079817.tif 000015
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
パーツが組み合わされた建造物模型を階毎に撮像した俯瞰画像を取得する画像取得部と、
前記俯瞰画像から前記パーツに設けられたコードタグを検出し、前記コードタグに記録された前記パーツのＩＤを読み出すとともに、前記パーツの位置及び向きを判別する画像解析部と、
前記パーツのＩＤ、位置、及び向きに基づき、前記建造物模型に対応する建造物の３Ｄデータを生成する３Ｄデータ生成部と、
生成された前記建造物の３Ｄデータを出力する出力部と、
を備えることを特徴とする建造物設計支援装置。
【請求項２】
請求項１に記載の建造物設計支援装置であって、
前記パーツのＩＤに基づき、前記建造物模型を構成する前記パーツのパーツリストを生成するパーツリスト生成部と、
前記パーツのＩＤに対応付けて属性情報が記録されたパーツＤＢを、備え、
前記パーツリスト生成部は、前記パーツＤＢを参照し、前記パーツのＩＤに前記属性情報を対応付けた前記パーツリストを生成する
ことを特徴とする建造物設計支援装置。
【請求項３】
請求項２に記載の建造物設計支援装置であって、
前記パーツＤＢには、前記パーツのＩＤに対応付けて、実際の内外装建築材料のサイズ、材質、色、模様、及びコストのうちの少なくとも１つが前記属性情報として記録されている
ことを特徴とする建造物設計支援装置。
【請求項４】
請求項１〜３のいずれか一項に記載の建造物設計支援装置であって、
前記３Ｄデータ生成部は、生成した前記３Ｄデータに基づき、前記建造物模型に対応する建造物を建築した場合に各種の条件を満たしているか否かを判定する
ことを特徴とする建造物設計支援装置。
【請求項５】
請求項４に記載の建造物設計支援装置であって、
前記各種の条件が予め登録されている条件ＤＢを、備え、
前記３Ｄデータ生成部は、前記条件ＤＢを参照し、生成した前記３Ｄデータに基づき、前記建造物模型に対応する建造物を建築した場合に各種の条件を満たしているか否かを判定する
ことを特徴とする建造物設計支援装置。
【請求項６】
請求項１〜５のいずれか一項に記載の建造物設計支援装置であって、
前記３Ｄデータ生成部は、出力された前記建造物の３Ｄデータに基づく３Ｄ画像に対するユーザからの構造変更を指示する操作に応じて、前記３Ｄデータを更新する
ことを特徴とする建造物設計支援装置。
【請求項７】
パーツが組み合わされた建造物模型を撮像した建造物模型画像を取得する画像取得部と、
前記建造物模型画像から前記パーツに設けられたコードタグを検出し、前記コードタグに記録された前記パーツのＩＤを読み出すとともに、前記パーツの位置及び向きを判別する画像解析部と、
前記パーツのＩＤ、位置、及び向きに基づき、前記建造物模型に対応する建造物の３Ｄデータを生成する３Ｄデータ生成部と、
前記パーツのＩＤに基づき、前記建造物模型を構成する前記パーツのパーツリストを生成するパーツリスト生成部と、
生成された前記建造物の３Ｄデータ、及び前記パーツリストを出力する出力部と、
を備え、
前記パーツリスト生成部は、ユーザからの前記パーツの仕様変更を指示する操作に応じて、前記パーツリストを更新する
ことを特徴とする建造物設計支援装置。
【請求項８】
請求項２または７に記載の建造物設計支援装置であって、
前記パーツリストに基づき、前記建造物模型に対応する建造物を建築する場合に要する建築コストを算出するコスト算出部、
を備え、
前記コスト算出部は、更新された前記パーツリストに基づき、前記建築コストを再度算出する
ことを特徴とする建造物設計支援装置。
【請求項９】
請求項１〜８のいずれか一項に記載の建造物設計支援装置であって、
前記建造物模型は、建造物の施主が複数の前記パーツの中から任意のものを選択して組み立てたものである
ことを特徴とする建造物設計支援装置。
【請求項１０】
請求項１〜９のいずれか一項に記載の建造物設計支援装置であって、
前記パーツは、凹部または凸部の一方が縦横に配列された床パーツと、前記凹部または前記凸部の他方が形成されており前記床パーツに対して着脱可能な内外装パーツとを少なくとも含み、
前記床パーツの特定位置には、形状が他と異なる前記一方が形成されており、
前記内外装パーツのうちの特定のものには、前記床パーツの前記特定位置に形成された前記一方の形状に適合する前記他方が形成されている
ことを特徴とする建造物設計支援装置。
【請求項１１】
建造物設計支援装置により実行される建造物設計支援方法であって、
パーツが組み合わされた建造物模型を階毎に撮像した俯瞰画像を取得する画像取得ステップと、
前記俯瞰画像から前記パーツに設けられたコードタグを検出し、前記コードタグに記録された前記パーツのＩＤを読み出すとともに、前記パーツの位置及び向きを判別する画像解析ステップと、
前記パーツのＩＤ、位置、及び向きに基づき、前記建造物模型に対応する建造物の３Ｄデータを生成する３Ｄデータ生成ステップと、
生成された前記建造物の３Ｄデータを出力する出力ステップと、
を含むことを特徴とする建造物設計支援方法。
【請求項１２】
ネットワークを介して接続された端末装置と情報処理装置とを含む建造物設計支援システムであって、
前記端末装置は、
パーツが組み合わされた建造物模型を階毎に撮像して俯瞰画像を生成する撮像部と、
前記俯瞰画像を前記情報処理装置に送信する送信部と、を備え、
前記情報処理装置は、
前記俯瞰画像から前記パーツに設けられたコードタグを検出し、前記コードタグに記録された前記パーツのＩＤを読み出すとともに、前記パーツの位置及び向きを判別する画像解析部と、
前記パーツのＩＤ、位置、及び向きに基づき、前記建造物模型に対応する建造物の３Ｄデータを生成する３Ｄデータ生成部と、
生成された前記建造物の３Ｄデータを出力する出力部と、を備える
ことを特徴とする建造物設計支援システム。
【請求項１３】
建造物設計支援装置により実行される建造物設計支援方法であって、
パーツが組み合わされた建造物模型を撮像した建造物模型画像を取得する画像取得ステップと、
前記建造物模型画像から前記パーツに設けられたコードタグを検出し、前記コードタグに記録された前記パーツのＩＤを読み出すとともに、前記パーツの位置及び向きを判別する画像解析ステップと、
前記パーツのＩＤ、位置、及び向きに基づき、前記建造物模型に対応する建造物の３Ｄデータを生成する３Ｄデータ生成ステップと、
前記パーツのＩＤに基づき、前記建造物模型を構成する前記パーツのパーツリストを生成するパーツリスト生成ステップと、
生成された前記建造物の３Ｄデータ、及び前記パーツリストを出力する出力ステップと、
ユーザからの前記パーツの仕様変更を指示する操作に応じて、前記パーツリストを更新する更新ステップと、
を含むことを特徴とする建造物設計支援方法。
【請求項１４】
ネットワークを介して接続された端末装置と情報処理装置とを含む建造物設計支援システムであって、
前記端末装置は、
パーツが組み合わされた建造物模型を撮像して建造物模型画像を生成する撮像部と、
前記建造物模型画像を前記情報処理装置に送信する送信部と、を備え、
前記情報処理装置は、
前記建造物模型画像から前記パーツに設けられたコードタグを検出し、前記コードタグに記録された前記パーツのＩＤを読み出すとともに、前記パーツの位置及び向きを判別する画像解析部と、
前記パーツのＩＤ、位置、及び向きに基づき、前記建造物模型に対応する建造物の３Ｄデータを生成する３Ｄデータ生成部と、
前記パーツのＩＤに基づき、前記建造物模型を構成する前記パーツのパーツリストを生成するパーツリスト生成部と、
生成された前記建造物の３Ｄデータ、及び前記パーツリストを出力する出力部と、を備え、
前記パーツリスト生成部は、ユーザからの前記パーツの仕様変更を指示する操作に応じて、前記パーツリストを更新する
ことを特徴とする建造物設計支援システム。